(57)【要約】【課題】金属シンクシームレスクイックリリース排水トラップ構造を提供する。【解決手段】  金属シンクシームレスクイックリリース排水トラップ構造は、金属シンクのシンク底の水出口がフレームリングから排水トラップのステップ槽の開口端に延伸する外形の完全な作用によって、金属シンクのシンク底の排水口の位置表面にシームレスの効果を達成でさせ、金属シンクの美観及び清潔維持のし易さの衛生効果を増進させ、且つ該ロックスリーブの小さな角度の逆向き操作が、該接続スリーブの嵌合柱を該ロックスリーブの嵌合溝から神速に退出する作用をもたらし、該排水トラップの該フレームリング及び該排水口上の接続にクイックリリースの効果を達成させる。【選択図】図１
2021501276.tif 000002
【特許請求の範囲】
【請求項１】
金属シンクのシンク底に排水口が開設され、前記排水口に排水トラップが設けられ、前記排水トラップの内部にステップ槽が設けられ、前記ステップ槽の底端に排水管を接続可能な管接続部が設けられ、前記金属シンクのシンク底は、前記排水口の孔口周縁に位置し、前記シンク底の槽壁から外に向けてフレームリングを延伸成型し、前記フレームリングの外周には、接続スリーブが接続固定され、前記接続スリーブの外縁には、外に向けて複数の嵌合柱が凸設され、前記排水トラップのステップ槽の開口端には、前記接続スリーブの底端に相対し、収容リングフレーム部が形成され、前記収容リングフレーム部の外縁には、ロックスリーブが設けられ、前記ロックスリーブのスリーブ体上には、前記接続スリーブの嵌合柱に相対し、複数の嵌合溝が形成され、前記各嵌合溝は、それぞれ開口及び嵌合溝部を有し、前記開口及び前記嵌合溝部の間は、上下にずらされ、ガイド柱溝の上下端が偏移形成され、且つ前記開口は、前記接続スリーブの嵌合柱に位置合わせされ、前記ロックスリーブが前記接続スリーブ外縁において前記嵌合柱を操作して前記開口に嵌め込み、前記嵌合柱を前記ガイド柱溝に沿って前記嵌合溝部まで滑動変位させて位置決めさせ、前記排水トラップの収容リングフレーム部を前記接続スリーブの底端上に固定して前記フレームリング及び前記排水口を接続する、金属シンクシームレスクイックリリース排水トラップ構造。
【請求項２】
前記嵌合溝のガイド柱溝は、前記開口の下斜めから前記嵌合溝部までの傾斜溝形状の溝路である請求項１に記載の金属シンクシームレスクイックリリース排水トラップ構造。
【請求項３】
前記ガイド柱溝の溝幅は、前記嵌合柱の外径よりも小さい請求項２に記載の金属シンクシームレスクイックリリース排水トラップ構造。
【請求項４】
前記金属シンクのフレームリング端部には、複数の固定片を延伸形成し、前記接続スリーブの一端外縁には、前記固定片に相対して複数のクリップ溝が設けられ、前記各固定片の屈曲がそれぞれ前記クリップ溝に嵌合し、前記接続スリーブを前記フレームリングの外周表面に固定する請求項１に記載の金属シンクシームレスクイックリリース排水トラップ構造。
【請求項５】
前記排水トラップのステップ槽の開口端の収容リングフレーム部には、フィルタバスケットが収容され、前記フィルタバスケットの入口端には、前記フレームリング内縁に詰められる上フィルタが設けられ、前記上フィルタには、フィルタ孔部が設けられ、カバー凹溝が形成され、前記カバー凹溝上には、前記フィルタ孔部を閉鎖するシンクカバーが設けられる請求項１に記載の金属シンクシームレスクイックリリース排水トラップ構造。
【請求項６】
前記接続スリーブの底端と前記排水トラップの収容リングフレーム部との間には、シールガスケットが設けられる請求項１に記載の金属シンクシームレスクイックリリース排水トラップ構造。
【請求項７】
前記排水トラップの収容リングフレーム部は、フレーム体として形成され、前記ロックスリーブは、前記収容リングフレーム部に取り付けられ、前記収容リングフレーム部に相対するフレーム体下縁には、前記収容リングフレーム部下縁を支持する支持リング部が設けられる請求項１に記載の金属シンクシームレスクイックリリース排水トラップ構造。
【請求項８】
前記ロックスリーブは、スリーブ体上に複数の前記嵌合溝を有するロックスリーブ体であり、前記嵌合溝下縁の一部分のロックスリーブ体は、前記排水トラップの収容リングフレーム部の外縁と一体に連接される請求項１に記載の金属シンクシームレスクイックリリース排水トラップ構造。
【発明の詳細な説明】
【技術分野】
【０００１】
本発明は、排水トラップを排水口に接続させることができ、クイックリリース効果を達成する金属シンクシームレスクイックリリース排水トラップ構造に関する。
【背景技術】
【０００２】
市場の流し台のシンクは、耐久性、美観待ったは清潔維持のし易さが求められ、ほとんどがステンレス材質の金属シンクが使用されている。金属シンクは、台所用品、食器又は野菜、果物の洗浄に使用され、排水パイプの詰まりを防ぐため、通常、金属シンクの排水口に排水トラップが接続固定され、排水トラップ内のフィルタのフィルタ孔又はメッシュ孔により排水中の不純物をろ過する。金属シンクの製造は、コストを考慮し、一般的に、板金加工技術で成型された薄いシェル（薄壁）タンクであり、シンク底の壁の厚さが薄く、排水口の排水端に排水トラップを接続することが容易でなくなっている。従来の排水トラップの構造、例えば、台湾実用新案第Ｍ３８３５３３号「流し台のシンクの排水トラップの構造改良」は、排水トラップがシンクの槽内にあり、シンク底の排水口から貫通して出ており、排水トラップの受け縁がシンク底表面に係止され、止水ガスケットを組み合わせ、シンク底部端に位置することができ、ロックリングを用いて排水トラップの外ねじ山に螺合し、排水トラップを排水口に固定するが、該止水ガスケットが薄いか、又は止水ガスケットに合わない場合、該受け縁及びシンク底表面の間に何れも隙間が生じ、これの隙間に汚れを貯め（カビ、臭気を発生）、清潔保持又はメンテナンスが容易でなくなり、且つシンクの美観及び衛星に影響を及ぼす。また、シンクの底部は、往々にして物置棚であり、物を保管するための空間を提供することができ、排水トラップが排水口から分離してメンテナンス又は清掃を行う必要がある時、従来のロックリングの多く回転させる解除操作は、保管物の阻害を受け易い、排水トラップの取り外し又は組み合わせし直しの利便性に影響を及ぼす。
【先行技術文献】
【特許文献】
【０００３】
【特許文献１】台湾実用新案第Ｍ３８３５３３号明細書
【発明の概要】
【発明が解決しようとする課題】
【０００４】
本発明の目的は、金属シンクのシンク底に排水口が開設され、前記排水口に排水トラップが設けられ、前記排水トラップの内部にステップ槽が設けられ、前記ステップ槽の底端に排水管を接続可能な管接続部が設けられ、前記金属シンクのシンク底は、前記排水口の孔口周縁に位置し、前記シンク底の槽壁から外に向けてフレームリングを延伸成型し、前記フレームリングの外周には、接続スリーブが接続固定され、前記接続スリーブの外縁には、外に向けて複数の嵌合柱が凸設され、前記排水トラップのステップ槽の開口端には、前記接続スリーブの底端に相対し、収容リングフレーム部が形成され、前記収容リングフレーム部の外縁には、ロックスリーブが設けられ、前記ロックスリーブのスリーブ体上には、前記接続スリーブの嵌合柱に相対し、複数の嵌合溝が形成され、前記各嵌合溝は、それぞれ開口及び嵌合溝部を有し、前記開口及び前記嵌合溝部の間は、上下にずらされ、ガイド柱溝の上下端が偏移形成され、且つ前記開口は、前記接続スリーブの嵌合柱に位置合わせされ、前記ロックスリーブが前記接続スリーブ外縁において前記嵌合柱を操作して前記開口に嵌め込み、前記嵌合柱を前記ガイド柱溝に沿って前記嵌合溝部まで滑動変位させて位置決めさせ、前記排水トラップの収容リングフレーム部を前記接続スリーブの底端上に固定して前記フレームリング及び前記排水口を接続する、金属シンクシームレスクイックリリース排水トラップ構造を提供することである。
【０００５】
本発明のもう１つの目的は、前記嵌合溝のガイド柱溝は、前記開口の下斜めから前記嵌合溝部までの傾斜溝形状の溝路である金属シンクシームレスクイックリリース排水トラップ構造を提供することである。該嵌合溝のガイド柱溝は、該開口の下斜めから該嵌合溝部の傾斜溝形状の溝路であり、該接続スリーブの嵌合柱が該嵌合溝の開口に嵌合する時、該ロックスリーブが該接続スリーブ外縁において小さい角度の回転操作を行うためで、該嵌合柱が該ガイド柱溝の下向き傾斜に沿って該嵌合溝部に滑動変位して位置決めすることができ、排水トラップを該フレームリング及び該排水口に迅速に接続固定させる。且つ該ガイド柱溝の溝幅が該嵌合柱の外径よりもやや小さく、該嵌合柱は、該開口から該ガイド柱溝内に嵌合して下斜めに滑動変位する過程で、該ガイド柱溝は、溝を拡張後の回復弾性を有し、該嵌合柱を該嵌合溝部に進入させる時、過大な外力の介入がない状況では、制限する位置に戻る作用効果を発生することができる。
【０００６】
本発明の更にもう１つの目的は、前記金属シンクのフレームリング端部には、複数の固定片を延伸形成し、前記接続スリーブの一端外縁には、前記固定片に相対して複数のクリップ溝が設けられ、前記各固定片の屈曲がそれぞれ前記クリップ溝に嵌合し、前記接続スリーブを前記フレームリングの外周表面に固定し、前記接続スリーブを前記フレームリングと永久に強固に結合を容易に完成させることができる金属シンクシームレスクイックリリース排水トラップ構造を提供することである。
【０００７】
本発明の更にもう１つの目的は、前記排水トラップのステップ槽の開口端の収容リングフレーム部には、フィルタバスケットが収容され、前記フィルタバスケットの入口端には、前記フレームリング内縁に詰められる上フィルタが設けられ、前記上フィルタには、フィルタ孔部が設けられ、カバー凹溝が形成され、前記カバー凹溝上には、前記フィルタ孔を閉鎖するシンクカバーが設けられる金属シンクシームレスクイックリリース排水トラップ構造を提供することである。金属シンク内に水が入る時、シンクカバーは、金属シンク内に水が入って排水トラップにおいて排出されることを阻止することができ、反対に、シンクカバーを開く時、金属シンク内の汚水を排水トラップに通過させて排水させ、上フィルタのフィルタ孔部及びフィルタバスケットのメッシュ孔を利用して不純物をろ過し、排水の二重濾過の効果を達成する。
【０００８】
本発明のまた更にもう１つの目的は、前記接続スリーブの底端と前記排水トラップの収容リングフレーム部との間には、シールガスケットが設けられ、ロックスリーブの操作が、該接続スリーブの嵌合柱を該ロックスリーブの嵌合溝に入らせ、該ガイド柱溝に沿って該嵌合溝部に到達して位置決めされる時、該ロックスリーブによって該収容リングフレーム部を連動して該シールガスケットに対して貼合押圧して堅い止水作用を形成し、排水トラップを接続スリーブ上に固定させ、水、液体の漏れを防止する効果を達成する金属シンクシームレスクイックリリース排水トラップ構造を提供することである。
【０００９】
本発明のまた更にもう１つの目的は、前記排水トラップの収容リングフレーム部は、フレーム体として形成され、前記ロックスリーブは、前記収容リングフレーム部に取り付けられ、前記収容リングフレーム部に相対するフレーム体下縁には、前記収容リングフレーム部下縁を支持する支持リング部が設けられ、ロックスリーブが接続スリーブと組み合わせを完成する時、ロックスリーブの支持リング部によって排水トラップの収容リングフレーム部を牽引して接続スリーブの底端に近付けさせることができ、ロックスリーブと接続スリーブの組み合わせ又は分離の操作過程で、排水トラップがロックスリーブに従って回転動作を必要とせずに、排水トラップの収容リングフレーム部と金属シンクのフレームリングの接続又は分離を完成し、排水トラップを金属シンクの排水口において迅速に着脱させる金属シンクシームレスクイックリリース排水トラップ構造を提供することである。
【００１０】
本発明の更にもう１つの目的は、前記ロックスリーブが、スリーブ体上に複数の該嵌合溝を有するロックスリーブ体であり、該嵌合溝の下縁の一部分のロックスリーブ体は、該排水トラップの収容リングフレーム部の外縁と一体に連接され、該排水トラップ及び該ロックスリーブをプラスチック材料によって一体に射出成型可能とし、加工製造コストを低減することができる金属シンクシームレスクイックリリース排水トラップ構造を提供することである。
【課題を解決するための手段】
【００１１】
本発明の金属シンクシームレスクイックリリース排水トラップ構造は、金属シンクのシンク底に排水口が開設され、前記排水口に排水トラップが設けられ、前記排水トラップの内部にステップ槽が設けられ、前記ステップ槽の底端に排水管を接続可能な管接続部が設けられ、前記金属シンクのシンク底は、前記排水口の孔口周縁に位置し、前記シンク底の槽壁から外に向けてフレームリングを延伸成型し、前記フレームリングの外周には、接続スリーブが接続固定され、前記接続スリーブの外縁には、外に向けて複数の嵌合柱が凸設され、前記排水トラップのステップ槽の開口端には、前記接続スリーブの底端に相対し、収容リングフレーム部が形成され、前記収容リングフレーム部の外縁には、ロックスリーブが設けられ、前記ロックスリーブのスリーブ体上には、前記接続スリーブの嵌合柱に相対し、複数の嵌合溝が形成され、前記各嵌合溝は、それぞれ開口及び嵌合溝部を有し、前記開口及び前記嵌合溝部の間は、上下にずらされ、ガイド柱溝の上下端が偏移形成され、且つ前記開口は、前記接続スリーブの嵌合柱に位置合わせされ、前記ロックスリーブが前記接続スリーブ外縁において前記嵌合柱を操作して前記開口に嵌め込み、前記嵌合柱を前記ガイド柱溝に沿って前記嵌合溝部まで滑動変位させて位置決めさせ、前記排水トラップの収容リングフレーム部を前記接続スリーブの底端上に固定して前記フレームリング及び前記排水口を接続する。
【発明の効果】
【００１２】
本発明の金属シンクシームレスクイックリリース排水トラップ構造は、金属シンクのシンク底の排水口がフレームリングから排水トラップのステップ槽の開口端に延伸する外形の完全な作用によって、金属シンクのシンク底の排水口を表面に位置させ、シームレス効果を達成でき、金属シンクの美観及び清潔維持し易さの衛生効果を増進する。且つ該ロックスリーブの小さな動作が逆方向に操作され、該接続スリーブの嵌合柱を該ロックスリーブの嵌合溝から迅速に退出させる作用をもたらすことができ、更に該排水トラップに該フレームリング及び該排水口の接続をさせ、クイックリリースの効果を達成する。
【図面の簡単な説明】
【００１３】
【図１】本発明の構造分解立体図である。
【図２】本発明のシンクフレームと接続スリーブの固定前の構造立体図である。
【図３】本発明のシンクフレームと接続スリーブの固定後の構造立体図である。
【図４】本発明のロックスリーブが接続スリーブにロックされる前の回転動作の説明図である。
【図５】本発明のロックスリーブが接続スリーブにロックされた後の回転動作の説明図である。
【図６】本発明の排水トラップのシンクの排水口に接続される組み合わせ断面構造図である。
【図７】本発明の他の実施例の構造分解立体図である。
【図８】本発明の他の実施例の組み合わせ断面構造図である。
【発明を実施するための形態】
【００１４】
本発明の上記目的を達成する手段を分かり易くするため、好適実施例を挙げ、図面に合わせて以下に説明を行う。
【００１５】
金属シンクシームレスクイックリリース排水トラップ構造は、図１、図２、図３、図４、図５、図６に示すように、ステンレス金属シンク１０のシンク底１１には排水口１２が開設される。該排水口１２上に排水トラップ２０が接続され、該排水トラップ２０内部にはステップ槽２１が設けられ、該ステップ槽２１の底端には排水管（図示せず）を接続できる管接続部２２が設けられる。該金属シンク１０のシンク底１１は、該排水口１２の孔口周辺において、該シンク底１１の槽壁から、フレームリング１３を外向きに一体に延伸成型し、該フレームリング１３の外周には、接続スリーブ３０が固定接続され、該接続スリーブ３０の外縁には、径方向外向きに複数の嵌合柱３１が凸設される。該排水トラップ２０のステップ槽２１の開口端には、該接続スリーブ３０の底端に相対して収容リングフレーム部２３が形成され、該収容リングフレーム部２３の外縁には、ロックスリーブ２４が設けられ、該ロックスリーブ２４のスリーブ体上には、該接続スリーブ３０の嵌合柱３１に相対して複数の嵌合溝２５が形成され、該各嵌合溝２５は、それぞれ開口２５０及び嵌合溝部２５１を有し、該開口２５０及び該嵌合溝部２５１の間は、上下にずらされ、ガイド柱溝２５２の上下端が変位形成され、且つ該開口２５０は、該接続スリーブ３０の嵌合柱３１を位置合わせし、該ロックスリーブ２４によって該接続スリーブ３０の外縁において該嵌合柱３１を操作し、開口２５０に嵌め込み（図４、図５）、該嵌合柱３１を該ガイド柱溝２５２に沿って該嵌合溝部２５１に向かって滑動変位させて位置決めさせ、該排水トラップ２０の収容リングフレーム部２３を該接続スリーブ３０の底端に固定させ、該フレームリング１３及び該排水口１２を接続する。図２、図３に示すように、金属シンク１０のシンク底１１の排水口１２がフレームリング１３から排水トラップ２０のステップ槽２１の開口端に延伸する外形の完全な作用によって、金属シンク１０のシンク底１１の排水口１２を表面に位置させ、シームレス又は隙間のない効果を達成でき、金属シンク１０の美観及び清潔維持し易さの衛生効果を増進する。且つ該ロックスリーブ２４の小さな動作が逆方向に操作され（図４、図５の逆向きの動作）、該接続スリーブ３０の嵌合柱３１を該ロックスリーブ２４の嵌合溝２５から迅速に退出させる作用をもたらすことができ、更に該排水トラップ２０に該フレームリング１３及び該排水口１２の接続をさせ、クイックリリースの効果を達成する。
【００１６】
上記実施例に基づき、図１、図４、図５に示すように、該嵌合溝２５のガイド柱溝２５２は、該開口２５０の下斜めから該嵌合溝部２５１の傾斜溝形状の溝路であり、該接続スリーブ３０の嵌合柱３１が該嵌合溝２５の開口２５０に嵌合する時、該ロックスリーブ２４が該接続スリーブ３０外縁において小さい角度の回転操作を行うためで、該嵌合柱３１が該ガイド柱溝２５２の下向き傾斜に沿って該嵌合溝部２５１に滑動変位して位置決めすることができ、排水トラップ２０を該フレームリング１３及び該排水口１２に迅速に接続固定させる。且つ該ガイド柱溝２５２の溝幅が該嵌合柱３１の外径（形態）よりもやや小さく、該嵌合柱３１は、該開口２５０から該ガイド柱溝２５２内に嵌合して下斜めに滑動変位する過程で、該ガイド柱溝２５２は、溝を拡張後の回復弾性を有し、該嵌合柱３１を該嵌合溝部２５１に進入させる時、過大な外力の介入がない状況では、制限する位置に戻る（任意に後退しない）作用効果を発生することができる。
【００１７】
上記実施例に基づき、図１、図２、図３に示すように、金属シンク１０のフレームリング１３の端部は、複数の固定片１３０を延伸し、該接続スリーブ３０の一端の外縁は、固定片１３０に相対して複数のクリップ溝３００を設け、該各固定片１３０の変形屈曲は、それぞれ該クリップ溝３００に嵌合し、該接続スリーブ３０を該フレームリング１３の外周表面に固定し、該接続スリーブ３０を永久に強固に（回転なく）該フレームリング１３と結合を簡易に完成させる。
【００１８】
上記実施例に基づき、図１、図６に示すように、該排水トラップ２０のステップ槽２１の開口端の収容リングフレーム部２３には、フィルタバスケット４０が収容され、該フィルタバスケット４０の入口端には、該フレームリング１３内縁に詰められる上フィルタ５０が設けられ、該上フィルタ５０上には、フィルタ孔部５１が設けられ、シール凹溝５２が形成され、該シール凹溝５２上には、該フィルタ孔部５１を閉鎖するシンクカバー６０が設けられる。金属シンク１０内に水が入る時（図示せず）、シンクカバー６０は、金属シンク１０内に水が入って（流れ込み）排水トラップ２０において排出されることを阻止することができ、反対に、シンクカバー６０を開く時（図示せず）、金属シンク１０内の汚水を排水トラップ２０に通過させて排水させ、上フィルタ５０のフィルタ孔部５１及びフィルタバスケット４０のメッシュ孔を利用して不純物をろ過し、排水の二重濾過の効果を達成する。
【００１９】
上記実施例に基づき、図１、図２、図３に示すように、前記接続スリーブ３０の底端と前記排水トラップの収容リングフレーム部２３との間には、シールガスケット３２が設けられ、ロックスリーブ２４が回転動作し（図４、図５）、該接続スリーブ３０の嵌合柱３１を該ロックスリーブ２４の嵌合溝２５に入らせ、該ガイド柱溝２５２に沿って該嵌合溝部２５１に到達して位置決めされる時、該ロックスリーブ２４によって該収容リングフレーム部２３を連動して該シールガスケット３２に対して貼合押圧して堅い止水作用を形成し、排水トラップ２０を接続スリーブ３０上に固定させ、水、液体の漏れを防止する効果を達成する。
【００２０】
前記実施例に基づき、図１および図６に示すように、該排水トラップ２０の収容リングフレーム部２３は、フレーム体として形成され、該ロックスリーブ２４は、該収容リングフレーム部２３に取り付けられ、該収容リングフレーム部２３に相対するフレーム体下縁には、該収容リングフレーム部２３下縁を支持する支持リング部２４０が設けられる。図４、図５に示すように、ロックスリーブ２４が回転して接続スリーブ３０と組み合わせを完成する時、ロックスリーブ２４の支持リング部２４０によって排水トラップ２０の収容リングフレーム部２３を牽引（スナップ）して接続スリーブ３０底端に近付けさせることができ、図４、図５、図６に示すように、ロックスリーブ２４と接続スリーブ３０の組み合わせ又は分離の操作過程で、排水トラップ２０がロックスリーブ２４に従って回転動作を行う必要がない状態で、排水トラップ２０の収容リングフレーム部２３と金属シンク１０のフレームリング１３の接続又は分離を完成し、排水トラップ２０を金属シンク１０の排水口１２において迅速に着脱させる。
【００２１】
上記実施例に基づき、図７、図８に示すように、前記ロックスリーブ２４Ａは、スリーブ体上に複数の該嵌合溝２５Ａを有するロックスリーブ体であり、該嵌合溝２５Ａ下縁の一部分のロックスリーブ体は、該排水トラップ２０Ａの収容リングフレーム部２３Ａ外縁と一体に連接され、該排水トラップ２０Ａ及び該ロックスリーブ２４Ａをプラスチック材料によって一体に射出成型可能とし、加工製造コストを低減することができる。
【００２２】
以上の説明は、本発明について例示説明するものであって、制限するものではなく、当業者であれば分かるように、明細書に限定する精神及び範囲を離脱しない状況では、多くの修正、変更又は均等の置き換えを行うことができ、何れも本発明の保護範囲内に含まれるものである。
【符号の説明】
【００２３】
１０  金属シンク
１１  シンク底
１２  排水口
１３  フレームリング
１３０  固定片
２０、２０Ａ  排水トラップ
２１  ステップ槽
２２  管接続部
２３、２３Ａ  収容リングフレーム部
２４、２４Ａ  ロックスリーブ
２４０  支持リング部
２５、２５Ａ  嵌合溝
２５０  開口
２５１  嵌合溝部
２５２  ガイド柱溝
３０  接続スリーブ
３００  クリップ溝
３１  嵌合柱
３２  シールガスケット
４０  フィルタバスケット
５０  上フィルタ
５１  フィルタ孔部
５２  シール凹溝
６０  シンクカバー
【図１】
2021501276.tif 000003
【図２】
2021501276.tif 000004
【図３】
2021501276.tif 000005
【図４】
2021501276.tif 000006
【図５】
2021501276.tif 000007
【図６】
2021501276.tif 000008
【図７】
2021501276.tif 000009
【図８】
2021501276.tif 000010
【国際調査報告】
2021501276.tif 000011
2021501276.tif 000012